(57)【特許請求の範囲】
【請求項１】
液透過性の表面シートと、液不透過性の裏面シートと、前記表面シートと前記裏面シートとの間に配置される吸収体と、長手方向に延び、前記表面シートの肌当接面側における吸収性物品の両側縁部領域に沿ってそれぞれ設けられている一対の防漏壁を有する吸収性物品であって、
両防漏壁には、親水性のビタミンＣ誘導体が塗布された塗布領域が複数設けられており、
前記塗布領域は、間欠的に配置されるとともに、長手方向に延びるパターンで設けられている不連続形状から成り、
前記不連続形状は円形から成るとともに、異なる径の円形を含み、
前記ビタミンＣ誘導体は、リン酸アスコルビルマグネシウム又はリン酸アスコルビル３ナトリウムであり、
前記防漏壁は、着用者の股の付け根部分の肌と接するように設けられており、
前記塗布領域は、前記防漏壁上にのみ設けられている
ことを特徴とする吸収性物品。
【請求項２】
前記塗布領域は、前記吸収性物品の長手方向に沿って延び、かつ前記吸収性物品の幅方向において互いに離間されている、請求項１に記載の吸収性物品。
【請求項３】
前記塗布領域はそれぞれ、吸収性物品の長手方向中心線に平行して延びている、請求項１又は２に記載の吸収性物品。
【発明の詳細な説明】
【技術分野】
【０００１】
本発明は、吸収性物品に関する。
【背景技術】
【０００２】
特許文献１に、液透過性の表面シートと、液不透過性の裏面シートと、表面シートと裏面シートとの間に配置される吸収体とを有する吸収性物品であって、着用者の肌を保護するために、表面シートの肌当接面側に、疎水性（すなわち、親油性）のエステル化ビタミンＣが塗布されている吸収性物品が開示されている。
【先行技術文献】
【特許文献】
【０００３】
【特許文献１】中国出願公開１０１５０７８２７Ａ
【発明の概要】
【０００４】
上述の吸収性物品によれば、上述のように着用者の肌を保護するという効果を奏することができるが、黒ずみ易い肌部分、例えば、着用者の股の付け根部分等に対する美白効果を奏することができない。
そこで、本発明は、上述の課題に鑑みてなされたものであり、黒ずみ易い肌部分、例えば、着用者の股の付け根部分等に対する美白効果を奏することができる吸収性物品を提供することを目的とする。
【０００５】
本発明の第１の特徴は、液透過性の表面シートと、液不透過性の裏面シートと、前記表面シートと前記裏面シートとの間に配置される吸収体と、長手方向に延び、前記表面シートの肌当接面側における吸収性物品の両側縁部領域に沿ってそれぞれ設けられている一対の防漏壁とを有する吸収性物品であって、両防漏壁には、親水性のビタミンＣ誘導体が塗布された塗布領域が複数設けられており、前記塗布領域は、間欠的に配置されていることを要旨とする。
【０００６】
前記塗布領域は、前記吸収性物品の長手方向に沿って延び、かつ前記吸収性物品の幅方向において互いに離間されていることが好ましい。
【０００７】
前記塗布領域は、長手方向に連続的に延びていることが好ましい。
【０００８】
前記塗布領域はそれぞれ、吸収性物品の長手方向中心線に平行して延びていることが好ましい。
【０００９】
前記塗布領域は、長手方向に延びるパターンで設けられている不連続形状から成ることが好ましい。不連続形状は円形から成るものであってもよい。
【００１０】
前記塗布領域は、前記防漏壁上にのみ設けられていることが好ましい。
【００１１】
ビタミンＣ誘導体は、リン酸エステル型ビタミンＣから成ることが好ましい。
【図面の簡単な説明】
【００１２】
【図１】本発明の実施形態を構成しない第１例に係る吸収性物品の肌当接面側から見た平面図である。
【図２】本発明の第１の実施形態に係る吸収性物品の肌当接面側から見た平面図である。
【図３】変更例に係る吸収性物品の肌当接面側から見た部分平面図である。
【発明を実施するための形態】
【００１３】
第１例
（本発明の第１の実施形態）
図１を参照して、本発明の実施形態を構成しない第１例に係る吸収性物品１について説明する。例えば、本例に係る吸収性物品１は、パンティライナーや失禁パッドや生理用ナプキン等である。
【００１４】
本例に係る吸収性物品１は、液透過性の表面シートと、液不透過性の裏面シートと、表面シートと裏面シートとの間に配置される吸収体とを有する。なお、本例に係る吸収性物品１において、表面シートと吸収体との間に、セカンドシートが配置されていてもよい。
【００１５】
図１に、第１例に係る吸収性物品の肌当接面側から見た平面図を示す。
【００１６】
吸収体は、粉砕パルプ及び高分子吸収ポリマーと両者を包み込むコアラップとによって構成されている。ここで、高分子ポリマーは、ポリアクリル酸をナトリウムで部分中和した架橋体の粒状のポリマーである。
【００１７】
また、コアラップは、液体を吸収する任意の材料のシートである。例えば、コアラップの材料として、ティッシュを用いてもよいし、親水性繊維や粉砕パルプをエアレイド法によってシート状にしたエアレイドシートを用いてもよい。
【００１８】
また、本例に係る吸収性物品１には、図１に示すように、複数の圧搾溝２１、２２、２３が設けられていてもよい。ここで、圧搾溝及２１、２２、２３は、表面シートから吸収体までを圧搾するように構成されている。
【００１９】
また、本例に係る吸収性物品１は、図１に示すように、吸収性物品１の幅方向Ｗの両外側に延出するように形成されている１対のウィング部４１を有していてもよい。さらに、本例に係る吸収性物品１は、吸収性物品１の長手方向Ｌにおいて、ウィング部４１の後方に、１対のヒップフラップ部４２を有していてもよい。
【００２０】
ここで、ウィング部４１及びヒップフラップ部４２では、裏面シートの衣服当接面側に、吸収性物品１を下着に固定するための粘着剤が塗布されている。
【００２１】
着用者は、吸収性物品１を下着に着用する際に、ウィング部４１を下着のクロッチに巻き込み、ヒップフラップ部４２を下着の上に広げて、吸収性物品１を下着に固定する。
【００２２】
また、本例に係る吸収性物品１は、図１に示すように、表面シートの肌当接面側で、かつ、吸収性物品１の長手方向Ｌに沿った両側縁部１０に、親水性のビタミンＣ誘導体が塗布された複数の塗布領域１１と、親水性のビタミンＣ誘導体が塗布されていない複数の非塗布領域１２とを有している。塗布領域１１及び非塗布領域１２は、吸収性物品１の長手方向Ｌに沿って配置され、かつ吸収性物品１の幅方向Ｗにおいて交互に配置されている。塗布領域１１は、幅方向Ｗに並んでおり、間欠的に配置されている。塗布領域１１は、吸収性物品の長手方向に沿って延び、吸収性物品の幅方向Wにおいて互いに離間している。
【００２３】
ビタミンＣ誘導体は、皮膚への浸透性・吸収性を高めるために、ビタミンＣをリン酸エステル化したもののことをいい、美白効果や肌の老化防止の効果があり、凹凸になったニキビ跡の解消等にも効果があるとされている。
【００２４】
ビタミンＣ誘導体は、ビタミンＣと比べて安定しており、さらに酸化されにくいという性質を持っている。また、ビタミンＣ誘導体は、皮膚内で、人間が持っている酵素（ホスファターゼ）の力により、ビタミンＣへと変化し、その効果を発揮するとされている。
【００２５】
ビタミンＣには、メラニンの生成を阻害して色素の沈着を抑制する効果（シミの改善）や、生成したメラニンを還元する（褐色化したメラニンを淡色化する）効果、及び、コラーゲンを生成する働きがある。
【００２６】
しかし、ビタミンＣは、食品等を通じて口から摂取された場合、体の各部で消費されていくため、皮膚や肌の健康のために、その生理作用を発揮する肝心の量としては僅かなものになってしまうという問題点があった。
【００２７】
そのため、近年、ビタミンＣ誘導体を数％含有させた化粧品等のように、直接肌から吸収させ、しかも皮膚の真皮層に近いところで長時間ビタミンＣの効果を発揮するような様々な商品が開発されている。
【００２８】
なお、ビタミンＣ誘導体には、親水性のビタミンＣ誘導体である「リン酸エステル型ビタミンＣ」や、親油性及び親水性の両方の性質を持っているビタミンＣ誘導体である「パルミチン酸アスコルビルリン酸３ナトリウム（ＡＰＰＳ、アプレシエ）次世代型ビタミンＣ誘導体」が含まれる。
【００２９】
ここで、リン酸エステル型ビタミンＣは、「リン酸型ビタミンＣ（ＶＣＰ/ＡＰ：ａｓｃｏｒｂｉｃ  ａｃｉｄ  ｐｈｏｓｐｈａｔｅ）」とも呼ばれている。リン酸エステル型ビタミンＣには、「リン酸アスコルビルマグネシウム（ＶＣ−ＰＭＧ，ＡＰＭ）」や「リン酸アスコルビル３ナトリウム（ＡＰ-１００）」等が含まれる。
【００３０】
本例に係る吸収性物品１によれば、表面シートの肌当接面側で、かつ、吸収性物品１の長手方向Ｌに沿った両側縁部１０に、親水性のビタミンＣ誘導体が塗布された塗布領域１１が設けられているため、黒ずみ易い股の付け根部分等における着用者の肌に対する美白効果を奏することができる。
【００３１】
更に、両側縁部１０は塗布領域１１と非塗布領域１２とを有しているため、非塗布領域１２において液透過性を確保しつつ、塗布領域１１において着用者の肌に対する美白効果を奏することができる。この例において、塗布領域１１が間欠的に配置されているため、塗布領域１１と非塗布領域１２とのバランスを調整することにより、ビタミンＣ誘導体による美白効果と液透過性とのバランスを保つことができる。
【００３２】
また、一般的に、親水性のビタミンＣ誘導体は、親油性のビタミンＣ誘導体と比べて、皮膚への浸透速度が速いとされている。したがって、親水性のビタミンＣ誘導体によって、即効性のある美白効果を奏することができる。
【００３３】
（第１実施例１）
以下、図２を参照して、本発明の第1実施例に係る吸収性物品１について、上述の第１例に係る吸収性物品１との相違点に着目して説明する。
【００３４】
図２に示すように、本第1実施例に係る吸収性物品１では、吸収性物品１の長手方向Ｌに沿った両側縁部１０に防漏壁３が設けられている。
【００３５】
第1実施例に係る吸収性物品１では、親水性のビタミンＣ誘導体が塗布された塗布領域１１は、両側縁部１０に設けられている防漏壁３に設けられている。
【００３６】
（変更例）
以下、図３を参照して、第1例の変更例に係る吸収性物品１について、上述の第１例に係る吸収性物品１との相違点に着目して説明する。
【００３７】
図３に示すように、本変更例に係る吸収性物品１は、略円形の塗布領域１１を複数備えている。この塗布領域１１には、第１例に係る吸収性物品１と同様に、親水性のビタミンＣ誘導体が塗布されている。
【００３８】
また、本発明に係る吸収性物品は、例えば、第1実施例に係る吸収性物品と同様の防漏壁３は、吸収性物品１の長手方向Ｌに沿った両側縁部１０に設けられ、変更例１に係る塗布領域１１が形成される。更に、変更例に係る吸収性物品の塗布領域１１は、長手方向Ｌに沿って配置されているが、長手方向Ｌに対して傾斜して配置されていてもよい。また、変更例に係る吸収性物品の塗布領域１１は、一部が交差するように配置され、その交差した部分において連続して配置されていてもよい。また、変更例に係る吸収性物品の塗布領域１１は、同径の円形状であるが、異なる径の円形状を含むように構成してもよい。
【００３９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。
【産業上の利用可能性】
【００４０】
以上説明したように、本発明によれば、黒ずみ易い肌部分に対する美白効果を奏することができる吸収性物品を提供することができる。
【符号の説明】
【００４１】
１…吸収性物品
１０…両側縁部
１１…塗布領域
１２…非塗布領域
２１、２２、２３…圧搾溝
３…防漏壁
４１…ウィング部
４２…ヒップフラップ部
【図１】
0005498592.tif 000002
【図２】
0005498592.tif 000003
【図３】
0005498592.tif 000004